(57)【要約】【課題】直動案内レールの端面に多数のタップ穴を設けることなく直動案内レールのボルト穴を切削粉等の異物から保護することのできる直動案内レール用防塵装置を提供する。【解決手段】帯状カバー体４に張力を付与する張力付与手段５を、直動案内レール２の両端に配置される張力付与ブロック１３と、張力付与ブロック１３の上面に帯状カバー体４を押圧する複数の押え板１４と、これらの押え板１４を張力付与ブロック１３上に固定する押え板固定用ボルト１５とから構成するとともに、直動案内レール２の転動体転動溝１２に係合する係合凸部１８を有する左右一対のアーム部１７を張力付与ブロック１３に設ける。【選択図】　図１
2004092900.tif 000002
【特許請求の範囲】
【請求項１】
左右夫々の側面に転動体転動溝等の凹部を有する直動案内レールをボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、
前記張力付与手段を、前記直動案内レールの端部に配置される張力付与ブロックと、前記張力付与ブロックの上面に前記帯状カバー体を押圧する複数の押え板と、これらの押え板を前記張力付与ブロックの上面に固定する押え板固定用ボルトとから構成するとともに、前記張力付与ブロックに左右一対のアーム部を設け、これらアーム部の相対向する内側面に前記凹部と係合する係合凸部を設けたことを特徴とする直動案内レール用防塵装置。
【請求項２】
前記張力付与ブロックは、前記案内レールに隣接する上段部と、この上段部の後端に連続して形成された下段部とを有し、前記押え板は、前記下段部の上面に積層された状態で固定されることを特徴とする請求項１記載の直動案内レール用防塵装置。
【請求項３】
前記張力付与ブロックは、前記帯状カバー体を前記張力付与ブロックの上面中央部に位置決めする凹状の位置決め部を有することを特徴とする請求項１又は２記載の直動案内レール用防塵装置。
【請求項４】
前記押え板は前記押え板固定用ボルトのネジ部を通すための貫通孔を有し、該貫通孔は前記帯状カバー体の長手方向に沿って長孔状に形成されていることを特徴とする請求項１乃至３のいずれか１項に記載の直動案内レール用防塵装置。
【請求項５】
直動案内レールをボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、
前記張力付与手段を、前記直動案内レールの端部に配置される張力付与ブロックと、前記張力付与ブロックの上面に前記帯状カバー体を押圧する複数の押え板と、これらの押え板を前記張力付与ブロックの上面に固定する押え板固定用ボルトとから構成するとともに、前記張力付与ブロックに前記案内レールを左右両側から挟圧する左右一対のアーム部を設けたことを特徴とする直動案内レール用防塵装置。
【請求項６】
直動案内レールをレール取付面上にボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、
前記張力付与手段を、前記直動案内レールの端部に配置される張力付与部材と、この張力付与部材上に前記帯状カバー体を押圧する複数の押え板と、これらの押え板を前記張力付与部材上に固定する押え板固定用ボルトと、前記張力付与部材を前記レール取付面上に固定する複数の張力付与部材固定用ボルトとから構成したことを特徴とする直動案内レール用防塵装置。
【請求項７】
前記張力付与ブロックの前記抑え板が固定される面は、前記案内レールの帯状カバー体が接する面よりも低くされていることを特徴とする請求項１記載の直動案内レール用防塵装置。
【請求項８】
請求項１乃至７のいずれか１項記載の直動案内レール用防塵装置を備えたことを特徴とする直動案内軸受装置。
【発明の詳細な説明】
【０００１】
【発明の属する技術分野】
本発明は、直動案内軸受装置の直動案内レールに形成されたボルト孔を切削粉等の異物から保護するための直動案内レール用防塵装置に関する。
【０００２】
【従来の技術】
一般に、直動案内軸受装置の直動案内レールには、直動案内レールをボルト固定するための複数のボルト孔が形成されており、これらのボルト孔を利用して直動案内レールを例えば工作機械の直線スライド部に取付けた場合には、ワークの切削粉等が直動案内レールのボルト孔に入り込んで堆積し、直動案内軸受装置のスライダが直動案内レール上を移動してきた際にボルト孔に堆積した切削粉がスライダ内に侵入して直動案内軸受装置の寿命を著しく低下させる。そこで、このような不具合を防止するために、図１６に示されるような防塵装置１を使用して直動案内レール２のボルト孔３を切削粉等の異物から保護するようにしたものが特開平８−２１９１５２号公報に記載されている。
【０００３】
図１６に示される防塵装置１は、ボルト孔３を含む案内レール面２ａを覆う帯状カバー体４と、この帯状カバー体４に直動案内レール２の長手方向に沿う張力を付与する張力付与手段５とからなり、帯状カバー体４は例えば焼入れ加工が施されたステンレス鋼板（厚さ：０．１５〜０．３ｍｍ程度）から形成されている。
【０００４】
張力付与手段５は一対の移動コマ６を備えており、これらの移動コマ６には帯状カバー体４の一端部が連結されている。また、張力付与手段５は複数本のボルト７により直動案内レール２の端面にそれぞれ固定される一対のカバー固定部材８を備えており、カバー固定部材８の中空部８ａに嵌め込まれた移動コマ６をボルト９によって直動案内レール２の端面側に締め付けると帯状カバー体４に張力が付与されるようになっている。
【０００５】
【発明が解決しようとする課題】
このような防塵装置１では、ボルト孔３を含む案内レール面２ａが帯状カバー体４によって覆われるため、切削粉等の異物がボルト孔３に入り込んで堆積することを防止できるが、直動案内レール２の端面に多数のタップ穴（ネジ穴）１０を設ける必要があるため、タップ穴１０の加工に手間がかかるという問題があった。
【０００６】
また、カバー固定部材８の中空部８ａに嵌め込まれた移動コマ６をボルト９の締結力により直動案内レール２の端面側に引き寄せて帯状カバー体４に張力を付与する構成であるため、カバー固定部材８の長さが比較的長くなり、その結果、防塵装置１を含めた直動案内レール全体の長さが長くなるという問題があった。
さらに、ボルト９を操作して帯状カバー体４の張力を調整するためのスペースを直動案内レール２の両端側に必要とするという問題もあった。
【０００７】
そこで本発明は、このような問題点を解決するためになされたものであり、直動案内レールの端面に多数のタップ穴を設けることなく直動案内レールのボルト穴を切削粉等の異物から保護することのできる直動案内レール用防塵装置を提供することを目的とする。
【０００８】
【課題を解決するための手段】
上記の目的を達成するために、第１の発明は、左右夫々の側面に転動体転動溝等の凹部を有する直動案内レールをボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、前記張力付与手段を、前記直動案内レールの端部に配置される張力付与ブロックと、この張力付与ブロックの上面に前記帯状カバー体を押圧する複数の押え板と、これらの押え板を前記張力付与ブロックの上面に固定する押え板固定用ボルトとから構成するとともに、前記張力付与ブロックに左右一対のアーム部を設け、これらアーム部の相対向する内側面に前記凹部と係合する係合凸部を設けたことを特徴とする。
【０００９】
また、第２の発明は、直動案内レールをボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、前記張力付与手段を、前記直動案内レールの端部に配置される張力付与ブロックと、この張力付与ブロックの上面に前記帯状カバー体を押圧する複数の押え板と、これらの押え板を前記張力付与ブロックの上面に固定する押え板固定用ボルトとから構成するとともに、前記張力付与ブロックに前記案内レールを左右両側から挟圧する左右一対のアーム部を設けたことを特徴とする。
【００１０】
また、第３の発明は、直動案内レールをレール取付面上にボルト固定するためのボルト孔を含む案内レール面を覆う帯状カバー体と、この帯状カバー体に前記案内レールの長手方向に沿う張力を付与する張力付与手段とを備えてなる直動案内レール用防塵装置において、前記張力付与手段を、前記直動案内レールの端部に配置される張力付与部材と、この張力付与部材上に前記帯状カバー体を押圧する複数の押え板と、これらの押え板を前記張力付与部材上に固定する押え板固定用ボルトと、前記張力付与部材を前記レール取付面上に固定する張力付与部材固定用ボルトとから構成したことを特徴とする。
【００１１】
第１の発明に係る直動案内レール用防塵装置では、張力付与ブロックに設けられたアーム部の係合凸部が直動案内レールの転動体転動溝等の凹部に係合すると、張力付与ブロックが上下方向の動きを抑制された状態となる。これにより、直動案内レールの端面に張力付与ブロックをボルトにより固定しなくても帯状カバー体に張力を付与できるため、直動案内レールの端面に多数のタップ穴を設けることなく直動案内レールのボルト穴を切削粉等の異物から保護することができる。
【００１２】
ここで、張力付与ブロックは直動案内レールに隣接する上段部と、この上段部の後端に連続して形成された下段部とを有し、押え板は下段部の上面に積層された状態で固定されることが好ましく、このような構成とすることにより、張力付与ブロックの上段部と下段部との間に形成される段差を利用して帯状カバー体のたるみを調整及び吸収することができる。また、張力付与ブロックの抑え板が固定される面は案内レールの帯状カバー体が接する面よりも低くされていることが好ましい。
【００１３】
また、張力付与ブロックは帯状カバー体を張力付与ブロックの中央部に位置決めする凹状の位置決め部を有することが好ましく、このような構成とすることにより、ボルト穴を含む案内レール面を帯状カバー体によって確実に覆うことができる。
さらに、押え板は押え板固定用ボルトのネジ部を通すための貫通孔を有し、該貫通孔は帯状カバー体の長手方向に沿って長孔状に形成されることが好ましく、このような構成とすることにより、帯状カバー体の張力を容易に調整することができる。
【００１４】
第２の発明では、張力付与部材に設けられた一対のアーム部によって張力付与部材が上下方向の動きを抑制された状態となり、直動案内レールの端面に張力付与ブロックをボルトにより固定しなくても帯状カバー体に張力を付与できるため、直動案内レールの端面に多数のタップ穴を設けることなく直動案内レールのボルト穴を切削粉等の異物から保護することができる。
【００１５】
第３に係る発明では、張力付与部材固定用ボルトにより張力付与部材がレール取付面上に固定されることによって張力付与部材が上下方向の動きを抑制された状態となり、直動案内レールの端面に張力付与部材をボルトにより固定しなくても帯状カバー体に張力を付与できるため、直動案内レールの端面に多数のタップ穴を設けることなく直動案内レールのボルト穴を切削粉等の異物から保護することができる。
【００１６】
【発明の実施の形態】
以下、本発明の実施の形態を図面に基づいて説明する。
図１乃至図４に、本発明の第１の実施形態を示す。図１において、図中１１は本発明の第１の実施形態に係る直動案内レール用防塵装置を示し、この直動案内レール用防塵装置１１はボルト孔３を含む案内レール面２ａを覆う帯状カバー体４と、この帯状カバー体４に直動案内レール２の長手方向に沿う張力を付与する張力付与手段５とからなり、直動案内レール２の左右夫々の側面２ｂには、夫々２列の転動体転動溝１２が直動案内レール２の長手方向に沿って設けられている。
【００１７】
張力付与手段５は、直動案内レール２の両端側に相対向して配置される一対の張力付与ブロック１３と、これら張力付与ブロック１３の上面に帯状カバー体４を押圧する複数（例えば４枚）の押え板１４と、これらの押え板１４を張力付与ブロック１３の上面に固定する複数（例えば４本）の押え板固定用ボルト１５とからなり、張力付与ブロック１３の上面には、押え板固定用ボルト１５のネジ部と螺合する複数（例えば２つ）のネジ穴１６が設けられている。
【００１８】
張力付与ブロック１３は、図２に示すように、左右一対のブロック状アーム部１７を有しており、これらブロック状アーム部１７の相対向する内側面には、上記下側の転動体転動溝１２に係合する係合凸部１８がそれぞれ設けられている。
また、張力付与ブロック１３は直動案内レール２に隣接する上段部１９と、この上段部１９の後端に連続して形成された下段部２０とを有しており、これら上段部１９と下段部２０との間には段差２１が形成されている。さらに、張力付与ブロック１３は帯状カバー体４を張力付与ブロック１３の上面中央部に位置決めする凹状の位置決め部２２を有しており、この位置決め部２２は上段部１９の上面に設けられている。
【００１９】
押え板１４は矩形状に形成されており、各押え板１４には、押え板固定用ボルト１５を通すための複数（例えば２個）の貫通孔２３（図３参照）が形成されている。また、押え板１４は、図４に示すように、張力付与ブロック１３の下段部２０上に複数枚ずつ重ね合わせた状態で固定されるようになっている。
このように構成される直動案内レール用防塵装置１１では、張力付与ブロック１３に設けられたブロック状アーム部１７の係合凸部１８が直動案内レール２の下側転動体転動溝１２に係合すると、張力付与ブロック１３が上下方向の動きを抑制された状態となる。これにより、直動案内レール２の端面に張力付与ブロック１３をボルトにより固定しなくても帯状カバー体４に張力を付与できるため、直動案内レール２の端面に多数のタップ穴を設けることなく直動案内レール２のボルト穴３を切削粉等の異物から保護することができる。
【００２０】
また、上述した実施形態では、張力付与ブロック１３の上段部１９と下段部２０との間に形成された段差２１を利用して帯状カバー体４のたるみを調整及び吸収できるため、案内レール２の長手方向に沿う張力を帯状カバー体４に確実に付与することができる。さらに、帯状カバー体４を張力付与ブロック１３の中央部に位置決めする凹状の位置決め部２２を張力付与ブロック１３に設けたことにより、ボルト穴３を含む案内レール面２ａを帯状カバー体４によって確実に覆うことができる。
【００２１】
また、帯状カバー体４を押え板１４により張力付与ブロック１３の上面に押え付けて帯状カバー体４に張力を付与する構成であるため、図１５に示した従来例のように、直動案内レール２の長さに合わせて帯状カバー体４を適当な長さに切断する必要がない。また、図１５に示した従来例では、帯状カバー体４に張力を付与するために移動コマ６を直動案内レール２の長手方向に移動させる必要があったが、上述した実施形態では、押え板１４を直動案内レール２の長手方向に移動させる必要がないので、防塵装置全体の長さを短くすることができる。さらに、図１５に示した従来例では帯状カバー体４の張力を調整するためのスペースを直動案内レール２の両端側に確保する必要があったが、上述した実施形態では、帯状カバー体４を張力付与ブロック１３の上面に押え付けて帯状カバー体４に張力を付与する構成であるため、帯状カバー体４の張力を調整するためのスペースを直動案内レール２の両端側に確保する必要もない。
【００２２】
上述した第１の実施形態では押え板１４の貫通孔２３を円形の貫通孔としたが、図５に示す第２の実施形態のように、押え板１４の貫通孔２３を直動案内レールの長手方向に沿って長孔状に形成してもよい。このような構成とすることにより、図６に示すように、張力付与ブロック１３上に重ね合わせた２枚の押え板１４を直動案内レール２の長手方向にスライドさせることによって、帯状カバー体４の張力を容易に調整することができる。
【００２３】
また、第１の実施形態では張力付与ブロック１３に左右一対のブロック状アーム部１７を一体に設けたが、図７に示す第３の実施形態のように、張力付与ブロック１３の前端面に円形穴２４を設け、この円形穴２４に円柱部材２５を差し込んでアーム部１７を構成してもよい。
上述した第３の実施形態ではアーム部１７の断面形状を円形としたが、図８及び図９に示す第４の実施形態のように、アーム部１７の断面形状を矩形としてもよい。また、第１乃至第４の実施形態では転動体転動溝１２の断面形状がゴシックアーチ状のため。アーム部１７の断面形状を円形または矩形としたが、例えば図１０に示す第５の実施形態のように、転動体転動溝１２の断面形状が上下に平面状のローラ転動面を有する場合にはアーム部１７の断面形状を上下のローラ転動面を含む凹溝の断面形状としてもよい。
【００２４】
次に、図１１乃至図１３を参照して、本発明の第６の実施形態について説明する。図１１において、本発明の第６の実施形態に係る直動案内レール用防塵装置は、ボルト孔３を含む案内レール面２ａを覆う帯状カバー体４と、この帯状カバー体４に直動案内レール２の長手方向に沿う張力を付与する張力付与手段５とからなり、直動案内レール２の左右夫々の側面２ｂには、片側２列の転動体転動溝１２が直動案内レール２の長手方向に沿って設けられている。
【００２５】
張力付与手段５は、直動案内レール２の両端に相対向して配置される一対の張力付与ブロック１３と、これら張力付与ブロック１３の上面に帯状カバー体４を押圧する複数（例えば４枚）の押え板１４と、これらの押え板１４を張力付与ブロック１３の上面に固定する複数（例えば４本）の押え板固定用ボルトとからなり、各張力付与ブロック１３の上面には、押え板固定用ボルトのネジ部と螺合する複数（例えば２つ）のネジ穴１６が設けられている。
【００２６】
張力付与ブロック１３は、直動案内レール２を左右両側から挟圧する左右一対のアーム部２７を有しており、これらアーム部２７の相対向する内側面には、直動案内レール２の側面２ｂに係合する突起部２８（図１３参照）がそれぞれ設けられている。
このように構成される直動案内レール用防塵装置では、張力付与ブロック１３に設けられたアーム部２７で直動案内レール２を左右両側から挟圧すると、張力付与ブロック１３が上下方向の動きを抑制された状態となる。この場合、張力付与ブロック１３の厚みを図１２に示すように厚めにしておくと張力付与ブロックの傾き防止に有利である。これにより、直動案内レール２の端面に張力付与ブロック１３をボルトにより固定しなくても帯状カバー体４に張力を付与できるため、直動案内レール２の端面にタップ穴を設けることなく直動案内レール２のボルト穴３を切削粉等の異物から保護することができる。
【００２７】
次に、図１４を参照して、本発明の第７の実施形態について説明する。図１４において、本発明の第７の実施形態に係る直動案内レール用防塵装置は、ボルト孔を含む案内レール面２ａを覆う帯状カバー体４と、この帯状カバー体４に直動案内レール２の長手方向に沿う張力を付与する張力付与手段５とからなり、直動案内レール２の左右夫々の側面には、片側２列の転動体転動溝１２が直動案内レール２の長手方向に沿って設けられている。
【００２８】
張力付与手段５は、直動案内レール２の両端に配置される一対の張力付与部材２９と、これら張力付与部材２９の上面に帯状カバー体４を押圧する複数（例えば４枚）の押え板１４と、これらの押え板１４を張力付与部材２９の上面に固定する複数（例えば４本）の押え板固定用ボルトと、張力付与部材２９をレール取付面３０に固定する複数の張力付与部材固定用ボルト３１とから構成されている。
【００２９】
このように構成される直動案内レール用防塵装置では、張力付与部材固定用ボルト３１により張力付与部材２９をレール取付面３０上に固定されると、張力付与部材２９が上下方向の動きを抑制された状態となる。これにより、直動案内レール２の端面に張力付与部材２９をボルトにより固定しなくても帯状カバー体４に張力を付与できるため、直動案内レール２の端面にタップ穴を設けることなく直動案内レール２のボルト穴３を切削粉等の異物から保護することができる。
【００３０】
上述した第７の実施形態では直動案内レール２の両端に配置される張力付与部材２９の形状をブロック状としたが、図１５に示す第８の実施形態のように、金属板をコ字形に折り曲げて張力付与部材２９を形成してもよい。
上述した第１乃至第７の実施形態では、案内レール２の両端部にそれぞれ張力付与手段５を設けた例を示したが、案内レールの一方の端部では帯状カバー体の端部を案内レールの端部にねじ止めにて固定し、案内レールの他方の端部にだけ張力付与手段を設けてもよい。また、上述した実施形態では転動体転動溝が２列の場合を例示したが、転動体転動溝は１列でも３列でも構わない。さらに上述した実施形態では、片側２列の転動体転動溝のうち上側の転動体転動溝を案内レールの側面と上面とが交わる部分に設けた場合を例示したが、案内レールの上面にかからない転動体転動溝が側面に二ヶ所以上ある場合には、係合凸部の係合部として、どの転動体転動溝を使用してもよい。さらにまた、上記の実施形態では転動体転動溝を含む凹部に張力付与手段の係合凸部を係合させた例を示したが、転動体転動溝以外に溝（凹部）がある場合には、その凹部に係合凸部を係合させてもよい。
【００３１】
【発明の効果】
以上説明したように、請求項１、５及び６記載の発明によれば、直動案内レールの端面に張力付与ブロックをボルトにより固定しなくても帯状カバー体に張力を付与できるため、直動案内レールの端面にタップ穴を設けることなく直動案内レールのボルト穴を切削粉等の異物から保護することができる。
【００３２】
請求項２記載の発明によれば、上述した効果に加え、張力付与ブロックの上段部と下段部との間に形成された段差を利用して帯状カバー体のたるみを調整及び吸収できるため、直動案内レールの長手方向に沿う張力を帯状カバー体に確実に付与することができる。
請求項３記載の発明によれば、上述した効果に加え、ボルト穴を含む案内レール面を帯状カバー体によって確実に覆うことができる。
請求項４記載の発明によれば、上述した効果に加え、張力付与ブロック上に重ね合わせた複数枚の押え板を直動案内レールの長手方向にスライドさせることによって、帯状カバー体の張力を容易に調整することができる。
【図面の簡単な説明】
【図１】本発明の第１の実施形態を示す斜視図である。
【図２】図１に示す張力付与ブロックの斜視図である。
【図３】図１に示す押え板の斜視図である。
【図４】本発明の第１の実施形態を示す斜視図で、（ａ）は帯状カバー体に張力を付与する前の状態を示す図、（ｂ）は帯状カバー体に張力を付与する後の状態を示す図である。
【図５】本発明の第２の実施形態を示す斜視図である。
【図６】本発明の第２の実施形態を示す図で、（ａ）は張力付与ブロック上に押え板を重ね合わせて固定した状態を示す図、（ｂ）は張力付与ブロック上に押え板を帯状カバー体の長手方向にずらした状態で固定した状態を示す図である。
【図７】本発明の第３の実施形態を示す斜視図である。
【図８】本発明の第４の実施形態を示す斜視図である。
【図９】本発明の第４の実施形態を示す正面図である。
【図１０】本発明の第５の実施形態を示す図である。
【図１１】本発明の第６の実施形態を示す斜視図である。
【図１２】本発明の第６の実施形態を示す図である。
【図１３】図１１に示す張力付与ブロックの斜視図である。
【図１４】本発明の第７の実施形態を示す図である。
【図１５】本発明の第８の実施形態を示す図である。
【図１６】従来の直動案内レール用防塵装置を示す斜視図である。
【符号の説明】
２　　直動案内レール
３　　ボルト孔
４　　帯状カバー体
５　　張力付与手段
１２　転動体転動溝（凹部）
１３　張力付与ブロック
１４　押え板
１５　押え板固定用ボルト
１６　ネジ孔
１７　アーム部
１８　係合凸部
１９　上段部
２０　下段部
２１　段差
２２　位置決め部
２７　アーム部
２８　突起部
２９　張力付与部材
３０　案内レール取付面
３１　張力付与部材固定用ボルト
【図１】
2004092900.tif 000003
【図２】
2004092900.tif 000004
【図３】
2004092900.tif 000005
【図４】
2004092900.tif 000006
【図５】
2004092900.tif 000007
【図６】
2004092900.tif 000008
【図７】
2004092900.tif 000009
【図８】
2004092900.tif 000010
【図９】
2004092900.tif 000011
【図１０】
2004092900.tif 000012
【図１１】
2004092900.tif 000013
【図１２】
2004092900.tif 000014
【図１３】
2004092900.tif 000015
【図１４】
2004092900.tif 000016
【図１５】
2004092900.tif 000017
【図１６】
2004092900.tif 000018